(57)【特許請求の範囲】
【請求項１】
軸を有する回転子と、
この回転子を貫通せしめる孔を有する多数の鉄心を積層した固定子と、
この固定子のスロットに挿入されると共に、巻回されたコイルと、
このコイルの口出し線と外部導電体とを接続する端子を有すると共に、上記コイルの天面上に固定されており、上記回転子を貫通させる孔を有する端子台と、
この端子台に当接して上記回転子を貫通させる孔を有すると共に、上記端子台の端子と電気的に接続されたリング状のコンデンサと、
を備え、
上記端子台の外側面はリング状であり、
上記端子台の外側面が上記コンデンサの内側面に当接している、
ことを特徴とするコンデンサ内蔵型電動機。
【請求項２】
軸を有する回転子と、
この回転子を貫通せしめる孔を有する多数の鉄心を積層した固定子と、
この固定子のスロットに挿入されると共に、巻回されたコイルと、
このコイルの口出し線と外部導電体とを接続する端子を有すると共に、上記回転子を貫通させるリング状の孔を有し上記コイルの天面に固定される水平片と、上記固定子の鉄心の外側部に設けられた切り欠きに先端が固定されるよう上記水平片の外周から延びる固定片とを有する端子台と、
外側面が上記水平片の孔に当接して上記回転子を貫通させる孔を有すると共に、上記端子台の端子と電気的に接続されたリング状のコンデンサと、
を備えたことを特徴とするコンデンサ内蔵型電動機。
【請求項３】
上記コンデンサは、上記端子台において上記固定子と上記軸方向に反対側の面に当接していることを特徴とする請求項１または２に記載のコンデンサ内蔵型電動機。
【請求項４】
上記端子台における上記軸方向と垂直な面には、上記コンデンサと電気的に接続する充電ピンが上記軸方向に立設されており、
上記コンデンサには、上記充電ピンが挿入されることにより電気的に接続される受電部が設けられている、
ことを特徴とする請求項１乃至３の何れかに記載のコンデンサ内蔵型電動機。
【請求項５】
上記端子台の充電ピンは柱状であり、
上記受電部は、放射状に切欠かれた切欠き部を有しており、上記充電ピンの挿入により、受電部と電気的に接続される、
ことを特徴とする請求項４に記載のコンデンサ内蔵型電動機。
【請求項６】
上記端子台の充電ピンは、平板状であり、
上記受電部は、上記充電ピンを内包する形状である、
ことを特徴とする請求項４に記載のコンデンサ内蔵型電動機。
【請求項７】
上記充電ピンと上記受電部とが上記端子台と上記コンデンサとの位置決め手段である、ことを特徴とする請求項４乃至６の何れかに記載のコンデンサ内蔵型電動機。
【請求項８】
上記端子台をモールドし、その上に上記コンデンサを着脱可能に装着した、
ことを特徴とする請求項１乃至３の何れかに記載のコンデンサ内蔵型電動機。
【発明の詳細な説明】
【０００１】
【発明の属する技術分野】
この発明はリングの形状のコンデンサを内蔵型電動機の改良に関するものである。
【０００２】
【従来の技術】
従来のコンデンサ内蔵型電動機の構成を実開平６−３１３７０号公報に記載された図９によって説明する。図９においてコンデンサ内蔵型モータは、コイル１の巻かれた固定子２を有し、固定子２の内周側には、回転子（図示せず）が設けられ、固定子２の一側面上に、コイル１に接続されたコンデンサ３が一側面上に同軸に配設されており、コンデンサ３は、中央に回転子孔４が形成されたドーナツ盤状の正極導電体１１と負極導電体１２と誘電体とを積層して構成されている。
【０００３】
固定子２の一側面上に配設されたコンデンサ３の上面側には、電源接続用の配線基板が搭載され（図示せず）、この配線基板に各コイル端部、電極部１３，１４及び外部電源ラインが接続されており、これら固定子２、コンデンサ３及び前記配線基板は一体にモールド成形されている。
【０００４】
上記のように構成されたコンデンサ内蔵型電動機は、コンデンサ３が固定子２の一側面上に固定子２と同軸に配設されているため、コンデンサ３が固定子２の側方や外周部に張り出して電動機の底面積が増大しないので、電動機の小形化が容易になるものである。
【０００５】
【発明が解決しようとする課題】
しかしながら、上記のように構成されたコンデンサ内蔵型電動機は、コンデンサ３の上面側には、電源接続用の配線基板が搭載されているので、コンデンサの破損や固定子の不良などによってコンデンサ３を交換する必要が生じた場合には、該配線基板も一緒に交換しなければならず省資源などの面で望ましくないという問題点があった。
さらに、コンデンサ３の正極導電体１１と負極導電体１２とをハンダ付けして固定子２のコイルの口出し線と接続しているので、ハンダ付け作業が煩雑であるという問題点があった。
【０００６】
この発明は、上記のような課題を解決するためになされたもので、コンデンサの装着や交換が容易なコンデンサ内蔵型電動機を提供することを目的とする。
【０００７】
【課題を解決するための手段】
この発明に係るコンデンサ内蔵型電動機は、軸を有する回転子と、この回転子を貫通せしめる孔を有する多数の鉄心を積層した固定子と、この固定子のスロットに挿入されると共に、巻回されたコイルと、このコイルの口出し線と外部導電体とを接続する端子を有すると共に、上記コイルの天面上に固定されており、上記回転子を貫通させる孔を有する端子台と、この端子台に当接して上記回転子を貫通させる孔を有すると共に、上記端子台の端子と電気的に接続されたリング状のコンデンサと、を備え、上記端子台の外側面はリング状であり、上記端子台の外側面が上記コンデンサの内側面に当接しているものである。
【０００８】
また、軸を有する回転子と、この回転子を貫通せしめる孔を有する多数の鉄心を積層した固定子と、この固定子のスロットに挿入されると共に、巻回されたコイルと、このコイルの口出し線と外部導電体とを接続する端子を有すると共に、上記回転子を貫通させるリング状の孔を有し上記コイルの天面に固定される水平片、および上記固定子の鉄心の外側部に設けられた切り欠きに先端が固定されるよう上記水平片の外周から延びる固定片とを有する端子台と、外側面が上記水平片の孔に当接して上記回転子を貫通させる孔を有すると共に、上記端子台の端子と電気的に接続されたリング状のコンデンサと、を備えたものである。
【０００９】
また、上記コンデンサは、上記端子台において上記固定子と上記軸方向に反対側の面に当接したものである。
【００１０】
また、上記端子台における上記軸方向と垂直な面には、上記コンデンサと電気的に接続する充電ピンが上記軸方向に立設されており、上記コンデンサには、上記充電ピンが挿入されることにより電気的に接続される受電部が設けられているものである。
【００１１】
また、上記端子台の充電ピンは柱状であり、上記受電部は、放射状に切欠かれた切欠き部を有しており、上記充電ピンの挿入により、受電部と電気的に接続されるものである。
【００１２】
また、上記端子台の充電ピンは、平板状であり、上記受電部は、上記充電ピンを内包する形状としたものである。
【００１３】
また、上記充電ピンと上記受電部とを上記端子台と上記コンデンサとの位置決め手段としたものである。
【００１４】
また、上記端子台をモールドし、その上に上記コンデンサを着脱可能に装着したものである。
【００１５】
【発明の実施の形態】
実施の形態１．
この発明の実施の形態を図１乃至図５に基づいて説明する。図１はこの発明の一実施の形態を示す電動機の縦方向断面図、図２は図１に示す電動機の固定子、端子台、コンデンサの部分拡大図、図３は図１における端子台、コンデンサの分解斜視図、図４は図２における端子台の充電ピンとコンデンサの受電部を示す拡大斜視図、図５は、図１におけるコンデン内蔵型電動機の結線図である。
【００１６】
図１乃至図５において、コンデンサ内蔵型電動機１００は単相で、中央に軸１０２ｈを有する回転子１０２と、この回転子１０２を貫通せしめる孔１０４ｅを中央部に有すると共に、薄い珪素鋼板を多数積層された固定子１０４と、固定子１０４のスロットに巻回されたコイル１０６と、コイル１０６の端部上に載せて固定されると共に、回転子１０２を貫通させる孔２００ｒを有する環状の端子台２００と、端子台２００の天面に固定されると共に、孔３００ｒを有するリング状のコンデンサ３００と、回転子１０２、固定子１０４、端子台２００、コンデンサ３００等を収納せしめる略円筒状の二つのハウジング１１０，１１２と、軸１０２ｈを内輪に固定すると共に、外輪をハウジング１１０，１１２の内面に固定された軸受１１６、１１８と、から形成されている。
【００１７】
端子台２００は、コイル１０６の上端部に載せて固定されると共に、中央に回転子１０２を貫通させる孔２０２ｒを有する環状でリング状の固定台２０２と、この固定台２０２上に固定されると共に、中央に回転子１０２を貫通させる孔２５０ｒを有する環状で円盤形の端子カバー２５０とから成っている。
【００１８】
固定台２０２には、固定子１０４のスロット１０４ｓの図示しない係合手段に係合される切欠き２０２ｅを有すると共に、９０゜間隔で垂直下方向に設けられた四つの固定片２０２ｈと、主コイル１０６ｍと補助コイル１０６ｓとからそれぞれ口出し線１０６Ｌを引き出して接続すると共に、垂直に立設された円柱状の二つの充電ピン２０２ｐと、コイル１０６から引き出された口出し線１０６Ｌと外部電源ライン２３０と電気的に接続される導電性の端子２０２ｔと、充電ピン２０２ｐ、端子２０２ｔを収納せしめると共に、外部電源ライン２３０を配線させる凹部２０２ｕと、外部電源ライン２３０を引き出す切り欠き部２０２ｚとを有している。
【００１９】
端子カバー２５０は、電気的に絶縁性のある非可撓性のポリエステルフィルムからなり、固定台２０２の上面に接着剤などによって固定される。端子カバー２５０には、固定台２０２の充電ピン２０２ｐを貫通させるために複数の孔２５０ｅが設けられている。
【００２０】
コンデンサ３００はリング状で、中央に回転子１０２を貫通させる孔３００ｒを有すると共に、充電ピン２０２ｐを受けて電気的に接続される受電部３００ｄを有し、受電部３００ｄは丸穴に放射状（本実施の形態では略十字状）に切欠かれると共に、端面が導電性の切欠き部３００ｘを備えており、充電ピン２０２ｐの挿入により、固定台２０２、端子カバー２５０およびコンデンサ３００との位置決めがなされるとともに、該切欠き部３００ｘと電気的に接続されるように形成さている。
【００２１】
上記のように構成されたコンデンサ内蔵型電動機１００の固定子部の組立方法を図１乃至図５によって説明する。まず固定子１０４が組立られており、固定子１０４のスロット１０４ｓに固定台２０２に設けられた四つの固定片２０２ｈの切り欠き２０２ｅを係合固定し、コイル１０６の口出し線１０６Ｌを充電ピン２０２ｐ、２０２ｔに電気的に接続し、端子カバー２５０は、孔２５０ｅに充電ピン２０２ｐを挿入すると共に、固定台２０２の上に載せて接着剤などにより固定した後、コンデンサ３００は端子カバー２５０の天面に載せると共に、受電部３００ｄに充電ピン２０２ｐを挿入して切欠き部３００ｘと電気的に接続して、コンデンサ３００及び端子台２００を備えた固定子が完成する。その後回転子１０２を固定子１０４に挿入する。
【００２２】
また、上述した構成ではコンデンサの孔３００ｒは回転子１０２が貫通する程度の大きさであったが、孔３００ｒを回転子１０２の外径よりも小さくしてもよい。この場合の組立方法は、端子台２００を組み付けた後、回転子１０２を固定子１０４に挿入し、その後コンデンサ３００を端子台２００の上に載せて電気的に接続し、固定子を完成させる。このような構造にすれば、コンデンサ３００の体積を大きく取れ、静電容量を大きくできて電動機の出力を大きくできる。
なお、端子台２００には、端子カバー２５０は必ずしも必要はなく、端子カバーがない場合、固定台２０２の上にコンデンサ３００を直接載せれば良く、端子台は固定台２０２そのものとなる。
また、端子２０２ｔから引き出したリード線をコネクタ（図示せず）に接続して、このコネクタと外部電源ライン２３０とを接続しても良い。
【００２３】
実施の形態２．
この発明の他の実施の形態を図６に基づいて説明する。図６はこの発明の他の実施の形態を示す電動機の固定子、端子台、コンデンサの断面図である。図６において、このコンデンサ内蔵型電動機の固定子部の特徴的な構成は、固定台４０２は固定子１０４のスロット１０４ｓに、四つの固定片４０２ｈの切り欠きが係合固定され、コイル１０６の天面に固定される水平部から一段低く形成された水平片４０２ｃが設けられており、リング状のコンデンサ３２０は該水平片４０２ｃに載せられると共に、固定台４０２の外周部側面に係合されている。
【００２４】
固定台４０２の水平片４０２ｃ上には、円柱状の二つの充電ピン４０２ｐが垂直に立設されており、該充電ピン４０２ｐがコンデンサ３２０の受電部３２０ｄに電気的に接続されている。
このように端子台となる固定台４０２とコンデンサ３２０とが同心円状内側、外側に並列配置されることで、電動機の高さ方向の寸法を小さくすることができる。また、電動機の幅方向は主に固定子によるところが大きいので、並列配置してもそれほど電動機の幅寸法が大きくなることはないか、或いは全く大きくならない。
【００２５】
実施の形態３．
この発明の他の実施の形態を図７に基づいて説明する。図７はこの発明の他の実施の形態を示す電動機の固定子、端子台、コンデンサの断面図である。図７において、このコンデンサ内蔵型電動機の固定子部の特徴的な構成は、固定台５０２は固定子１０４の鉄心の外側部に設けられた切り欠き１０４ｙに、四つの固定片５０２ｈの先端が係合固定され、コイル１０６の天面に固定される水平片５０２ｃが設けられており、リング状のコンデンサ３３０は該水平片５０２ｃに載せられると共に、固定台５０２の内周部側面に係合されている。
【００２６】
固定台５０２には、円柱状の二つの充電ピン５０２Ｐが垂直に立設されており、該充電ピン５０２Ｐがコンデンサ３３０の受電部３３０ｄに電気的に接続される。
【００２７】
実施の形態４．
この発明の他の実施の形態を図８に基づいて説明する。図８はこの発明の他の実施の形態を示す端子台及びコンデンサの分解斜視断面図である。図８において、このコンデンサ及び端子台の特徴的な構成は、端子台６０２には、平板状の充電ピン６０２ｐが垂直に立設され、充電ピン６０２ｐの周囲に略コ状の壁６０２ｆが形成されており、コンデンサ３５０には、充電ピン６０２ｐと係合して電気的に接続される水平部から垂直下方に延設された略Ｃ状の受電部３５０ｄが設けられ、受電部３５０ｄの周囲に略コ状の壁３５０ｆが形成されている。６０２ｒは端子台６０２中央に形成され、回転子が貫通する孔である。
【００２８】
これにより端子台６０２の充電ピン６０２ｐにコンデンサ３５０の受電部３５０ｄを容易に電気的に着脱できる。
また、コンデンサ３５０の位置決め固定と電気的接続が別々になるので、充電ピン６０２ｐは位置決めのための強度的制約などから解放され、電気的接続により適した材質、形状にすることができる。
【００２９】
尚、上記実施の形態１〜４の電動機をモールドモータとしてもよく、その際、端子台までをモールド樹脂にてモールドし、その後コンデンサを着脱可能に取り付ければ、コンデンサの交換等メンテナンスに優れたモールドモータとすることができる。
また、リサイクル処理等の解体分別時には、コンデンサを容易に分離することができる。
【００３０】
【発明の効果】
以上のとおり、この発明によれば、コイルの口出し線と外部導電体とを接続する端子を有すると共に、コイルの天面上に固定されており、回転子を貫通させる孔を有する端子台と、この端子台に当接して上記回転子を貫通させる孔を有すると共に、上記端子台の端子と電気的に接続されたリング状のコンデンサとを備え、上記端子台の外側面はリング状であり、上記端子台の外側面が上記コンデンサの内側面に当接しているので、寿命等によりコンデンサの交換をする際に、端子台はそのままで、コンデンサを容易に交換できるという効果がある。また、電動機の縦方向の寸法がコンデンサの内蔵によって増加することなく、コンデンサの外形（容量）も大きくできるという効果がある。
【００３１】
また、軸を有する回転子と、この回転子を貫通せしめる孔を有する多数の鉄心を積層した固定子と、この固定子のスロットに挿入されると共に、巻回されたコイルと、このコイルの口出し線と外部導電体とを接続する端子を有すると共に、上記回転子を貫通させるリング状の孔を有し上記コイルの天面に固定される水平片、および上記固定子の鉄心の外側部に設けられた切り欠きに先端が固定されるよう上記水平片の外周から延びる固定片とを有する端子台と、外側面が上記水平片の孔に当接して上記回転子を貫通させる孔を有すると共に、上記端子台の端子と電気的に接続されたリング状のコンデンサとを備えたので、寿命等によりコンデンサの交換をする際に、端子台はそのままで、コンデンサを容易に交換できる効果がある。
【００３２】
また、コンデンサを端子台の上に当接させたので、コンデンサの固定が端子台の上面で良いので、端子台の形状を簡素にできるという効果がある。
【００３３】
また、端子台には、ほぼ垂直にコンデンサと電気的に接続する充電ピンが立設されており、コンデンサには、充電ピンが挿入されることにより電気的に接続される受電部が設けられたので、コンデンサと端子台との電気的な接続及び切り離しが簡易であるという効果がある。
【００３４】
また、端子台の充電ピンは柱状であり、受電部は、放射状に切欠かれた切欠き部を有しており、充電ピンの挿入により、受電部と電気的に接続されるので、受電部の構成が簡易であるという効果がある。
【００３５】
また、端子台の充電ピンは、平板状であり、受電部は、充電ピンを内包する形状であるので、充電ピンと受電部が強固であるという効果がある。
【００３６】
また、充電ピンと受電部とが端子台とコンデンサとの位置決め手段であるので、コンデンサと端子台の位置決めが容易に行える効果がある。
【００３７】
また、端子台をモールドし、その上にコンデンサを着脱可能に装着したので、コンデンサの交換や分離が容易な電動機にできる効果がある。
【図面の簡単な説明】
【図１】  この発明の一実施の形態によるコンデンサ内蔵型電動機の縦方向断面図である。
【図２】  図１における固定子、端子台、コンデンサの部分拡大図である。
【図３】  図１における端子台、コンデンサの分解斜視図である。
【図４】  図２における端子台の充電ピンとコンデンサの充電部を示す拡大斜視図である。
【図５】  図１におけるコンデン内蔵型電動機の結線図である。
【図６】  この発明の他の実施の形態による固定子、端子台、コンデンサの断面図である。
【図７】  この発明の他の実施の形態による固定子、端子台、コンデンサの断面図である。
【図８】  この発明の他の実施の形態による端子台及びコンデンサの分解斜視図である。
【図９】  従来のコンデンサ内蔵型電動機の固定子部分の斜視図である。
【符号の説明】
１０２  回転子、  １０２ｈ  軸、  １０４  固定子、  １０６  コイル、  ２００，２０２  端子台、  ２０２ｒ，６０２ｒ  端子台の孔、  ２０２ｐ，６０２ｐ  充電ピン、  ３００，３２０，３３０，３５０  コンデンサ、  ３００ｄ  受電部、  ３００ｒ，３５０ｒ  コンデンサの孔。
【図１】
0004441071.tif 000002
【図２】
0004441071.tif 000003
【図３】
0004441071.tif 000004
【図４】
0004441071.tif 000005
【図５】
0004441071.tif 000006
【図６】
0004441071.tif 000007
【図７】
0004441071.tif 000008
【図８】
0004441071.tif 000009
【図９】
0004441071.tif 000010